(57)【要約】【課題】排水溝の形成に伴う接地フロートの左右傾動や浮き上がりを発生し難くできる水田作業機を提供する。【解決手段】複数の対地作業部による作業箇所に対する整地作用部１２ｄを有した状態で水田作業装置に設けられた一つの接地フロート１２を備えている。接地フロート１２の底面のうちの車体横方向での接地フロート中心１２ＣＬを含む部位だけに、圃場面に排水溝を形成する溝切り部７１を突設してある。【選択図】図８
2014097040.tif 000002
【特許請求の範囲】
【請求項１】
自走車の後部に昇降操作自在に連結され、車体横方向に並ぶ複数の対地作業部によって対地作業する水田作業装置と、前記複数の対地作業部による作業箇所に対する整地作用部を有した状態で前記水田作業装置に設けられた一つの接地フロートと、を備え、
前記接地フロートの底面のうちの車体横方向での接地フロート中心を含む部位だけに、圃場面に排水溝を形成する溝切り部を突設してある水田作業機。
【請求項２】
前記水田作業装置に支持され、前記接地フロートの両横外側で圃場面に排水溝を形成するサイド溝切り体を備えてある請求項１に記載の水田作業機。
【請求項３】
前記接地フロートの横幅に等しい又はほぼ等しい車体横方向の溝切り長さを備え、圃場面のうち、車体進行方向での作業列における隣り合う一対の作業箇所の間に下降して車体横方向の排水溝を形成する下降作用位置と圃場面から上昇した上昇非作用位置とに昇降自在な横溝切り体と、
前記横溝切り体を前記下降作用位置と前記上昇非作用位置とに、前記対地作業部の対地作業に連動させて昇降駆動する溝切り駆動機構と、を備えてある請求項１又は２に記載の水田作業機。
【請求項４】
前記自走車の後車輪の通過跡に、前記接地フロートより前側で排水溝を形成する車輪跡溝切り体を備えてある請求項１〜３のいずれか一項に記載の水田作業機。
【発明の詳細な説明】
【技術分野】
【０００１】
本発明は、自走車の後部に昇降操作自在に連結され、車体横方向に並ぶ複数の対地作業部によって対地作業する水田作業装置と、対地作業部による作業箇所に対する整地作用部を有した状態で水田作業装置に設けられた接地フロートとを備えた水田作業機に関する。
【背景技術】
【０００２】
従来、特許文献１に示される藺草移植機があった。この藺草移植機では、自走車の後部に昇降リンク機構を介して連結された植付部に、６つの植付機構及び３つのフロートが併設され、３つのフロートのうちのセンタフロートに排水溝形成用の溝切板が取り付けられている。
【先行技術文献】
【特許文献】
【０００３】
【特許文献１】特開平６−２９２４２１号公報
【発明の概要】
【発明が解決しようとする課題】
【０００４】
底面に溝切り部を突設した接地フロートを装備して、圃場面を接地フロートによって押さえながら排水溝を形成させようとしても、溝切り部に掛かる接地反力のために接地フロートが容易に左右傾動するとか、浮き上がることがあれば、接地フロートによる圃場面の押さえ込みが弱くなる。また、水田作業装置が左右に傾斜するなど、水田作業装置に悪影響が及ぶ。
【０００５】
本発明の目的は、底面に溝切り部を突設した接地フロートを採用するものでありながら、排水溝の形成に伴う接地フロートの左右傾動や浮き上がりを発生し難くできる水田作業機を提供することにある。
【課題を解決するための手段】
【０００６】
本第１発明による水田作業機は、自走車の後部に昇降操作自在に連結され、車体横方向に並ぶ複数の対地作業部によって対地作業する水田作業装置と、前記複数の対地作業部による作業箇所に対する整地作用部を有した状態で前記水田作業装置に設けられた一つの接地フロートと、を備え、前記接地フロートの底面のうちの車体横方向での接地フロート中心を含む部位だけに、圃場面に排水溝を形成する溝切り部を突設してあることを特徴とする。
【０００７】
本特徴構成によると、接地フロートの横幅が複数の対地作業部による作業箇所の全てに亘る広い横幅になり、接地フロートの広横幅のために接地フロートが重くなりがちであるから、さらに溝切り部に掛かる接地反力が、接地フロートの車体横方向での接地フロート中心あるいはその付近の部位で接地フロートに作用するから、接地フロートが溝切り部から受ける接地反力にかかわらず、接地フロートを広い横幅及び重さによって安定的に接地させることができる。すなわち、接地フロートが溝切り部から受ける接地反力にかかわらず、接地フロートの左右傾動や浮き上がりが発生し難くて、接地フロートによる圃場面押さえを強く行なわせることができる。
【０００８】
従って、本発明によると、接地フロートによって圃場面を強く押さえさせながら排水溝を形成させることができ、横側に泥土の盛り上がりがないとかできにくい良好な排水溝を形成させることができる。
【０００９】
本発明において、前記水田作業装置に支持され、前記接地フロートの両横外側で圃場面に排水溝を形成するサイド溝切り体を備えると好適である。
【００１０】
本特徴構成によると、接地フロートに設けた溝切り部が形成する排水溝に対して車体左横側及び車体右横側に離れた箇所にサイド溝切り体によって排水溝を形成できる。サイド溝切り体に掛かる接地反力を接地フロートに作用させずに、数多くの排水溝を形成させることができる。
【００１１】
従って、本発明によると、接地フロートの傾動や浮き上がりによる排水溝の仕上がり不良を発生し難くしながら、自走車進行方向の複数本の排水溝を形成して排水を迅速にできる。
【００１２】
本発明において、前記接地フロートの横幅に等しい又はほぼ等しい車体横方向の溝切り長さを備え、圃場面のうち、車体進行方向での作業列における隣り合う一対の作業箇所の間に下降して車体横方向の排水溝を形成する下降作用位置と圃場面から上昇した上昇非作用位置とに昇降自在な横溝切り体と、前記横溝切り体を前記下降作用位置と前記上昇非作用位置とに、前記対地作業部の対地作業に連動させて昇降駆動する溝切り駆動機構と、を備えると好適である。
【００１３】
本特徴構成によると、溝切り駆動機構によって昇降駆動される横溝切り体により、自走車の進行方向に対して交差する方向の排水溝を形成できる。
【００１４】
従って、本発明によると、接地フロートの溝切り部によって形成される自走車進行方向の排水溝に加え、自走車進行方向に対して交差する方向の排水溝を形成して、排水を迅速にできる。
【００１５】
本発明において、前記自走車の後車輪の通過跡に、前記接地フロートより前側で排水溝を形成する車輪跡溝切り体を備えると好適である。
【００１６】
本特徴構成によると、後車輪の通過跡に車輪跡溝切り体によって排水溝を形成できるから、後車輪の通過跡が荒れ地部分になっても、通過跡が荒れ地部分のままになり難い。
【００１７】
従って、本発明によると、後車輪の通過跡が荒れ地部分になっても排水溝に変わって排水障害になり難く、排水を円滑にできる。
【図面の簡単な説明】
【００１８】
【図１】水田作業機の全体を示す側面図である。
【図２】水田作業機を示す平面図である。
【図３】水田作業装置を示す側面図である。
【図４】水田作業装置の播種作業部を示す後面図である。
【図５】水田作業装置の施肥作業部を示す後面図である。
【図６】施肥作業部の施肥部及び播種作業部の播種部を示す平面図である。
【図７】繰出しロールを示す縦断側面図である。
【図８】接地フロートを示す平面図である。
【図９】接地フロートを示す側面図である。
【図１０】横溝切り体を示す平面図である。
【図１１】（ａ）は、下降作用位置での横溝切り体を示す側面図、（ｂ）は、上昇非作用位置での横溝切り体を示す側面図である。
【図１２】排水溝を示す平面図である。
【図１３】排水溝を示す縦断後面図である。
【図１４】第１の別実施構造を備えた水田作業装置を示す側面図である。
【図１５】第１の別実施構造を備えた水田作業装置の作業部を示す平面図である。
【図１６】第２の別実施構造を備えた水田作業装置の作溝施肥器を接続した状態での後面図である。
【図１７】第２の別実施構造を備えた水田作業装置の播種筒を接続した状態での後面図である。
【図１８】播種筒を示す後面図である。
【図１９】（ａ）は、施肥作業のための繰出しロールを示す斜視図、（ｂ）は、播種作業のための繰出しロールを示す斜視図である。
【図２０】（ａ）は、別の実施構造を備えた施肥作業のための繰出しロールを示す斜視図、（ｂ）は、別の実施構造を備えた播種作業のための繰出しロールを示す斜視図である。
【発明を実施するための形態】
【００１９】
以下、本発明の実施の形態を図面に基づいて説明する。
図１は、本発明の実施例に係る水田作業機の全体を示す側面図である。図２は、本発明の実施例に係る水田作業機を示す平面図である。図１，２に示すように、本発明の実施例に係る水田作業機は、左右一対の駆動及び操向自在な前車輪１，１、左右一対の駆動自在な後車輪２，２、車体前部に設けた原動部３、車体後部に設けられた運転座席４を有した運転部を備えて、原動部３に配備したエンジン１５からの駆動力によって前車輪１及び後車輪２を駆動して自走するように構成し、かつ運転部に搭乗して運転するように構成した自走車を備え、自走車の車体フレーム６の後部にリンク機構５を介して水田作業装置Ａを連結してある。水田作業装置Ａは、リンク機構５が油圧シリンダ２０によって車体フレーム６に対して上下に揺動操作されることにより、接地フロート１２が圃場泥土に接地した下降作業位置と、接地フロート１２が圃場泥土から高く上昇した上昇非作業位置とに昇降操作されるように構成してある。
【００２０】
つまり、水田作業機は、水田作業装置Ａを下降作業位置に下降させて自走車を走行させることにより、水田作業装置Ａに設けた４つの播種作業部９によって４条の直播作業を行い、水田作業装置Ａに設けた４つの施肥作業部１０によって４条の施肥作業を行なう。
【００２１】
水田作業装置Ａについて説明する。
図３は、水田作業装置Ａを示す平面図である。図４は、水田作業装置Ａの播種作業部９を示す後面図である。図１〜４に示すように、水田作業装置Ａは、リンク機構５を構成する機体上下向きの後部リンク５ｃの下部に前端側が連結された機体フレームＦと、機体フレームＦの前部に機体横方向に一列に並ぶ配置で設けた４つの施肥作業部１０と、機体フレームＦの後部に機体横方向に一列に並ぶ配置で設けた４つの播種作業部９と、機体フレームＦの下方に配備した機体フレーム横方向に長い一つの接地フロート１２とを備えて構成してある。
【００２２】
図３，６に示すように、機体フレームＦは、後部リンク５ｃに対して機体前後向きのローリング支点軸５ｄを介して連結されている。従って、水田作業装置Ａは、ローリング支点軸５ｄのローリング軸芯Ｘまわりに自走車に対してローリングする。
【００２３】
図６に示すように、機体フレームＦは、ローリング支点軸５ｄに前端側上部が連結された機体フレーム横方向に長い駆動ケース１９と、この駆動ケース１９の両横端部から各別に機体フレーム後方向きに延出した左右一対の伝動ケース２６とを備えて構成してある。左右一対の伝動ケース２６，２６の延出端部は、連結フレーム５５によって連結されている。
【００２４】
駆動ケース１９は、駆動ケース１９の横方向での中央部を構成するとともに前端側上部がローリング支点軸５ｄに連結されているフィードケース１９ａと、フィードケース１９ａの下端側の両横側部から横外向きに延出され、駆動ケース１９の横側部を構成するとともに延出端部が伝動ケース２６の基部に連結されている左右一対の出力軸ケース２４，２４とを備えて構成してある。
【００２５】
図３，４に示すように、４つの播種作業部９は、機体フレームＦに固定された機体横方向に長い播種フレーム４７に支持される種子繰出し機構２８と、種子繰出し機構２８が備える繰出しケース２８ａの上部に取付けられた種子タンク２７と、繰出しケース２８ａの下部から機体下方向きに延出した播種筒２９とを備えて構成してある。左側２つの播種作業部９及び右側２つの播種作業部９の種子タンク２７は、内部が連通した状態に一体成形してあり、一つのタンクになっている。
【００２６】
４つの播種作業部９は、自走車の後部から後方向きに延出する回転伝動軸１８（図１参照）によってフィードケース１９ａに伝達されるエンジン１５からの駆動力によって駆動されるように構成してある。
【００２７】
すなわち、図４，６に示すように、フィードケース１９ａに入力した駆動力を、出力軸ケース２４から左右一対の伝動ケース２６，２６の基端側（前端側）に入力する。左側の伝動ケース２６に入力した駆動力を、この伝動ケース２６の延出端部（後端部）に機体横向きに貫設してある出力軸４１から機体左側の２つの種子繰出し機構２８，２８の播種ロール駆動軸４３にギヤ伝動機構４４を介して伝達する。右側の伝動ケース２６に入力した駆動力を、この伝動ケース２６の延出端部（後端部）に機体横向きに貫設してある出力軸４１から機体右側の２つの種子繰出し機構２８，２８の播種ロール駆動軸４３にギヤ伝動機構４４を介して伝達する。
【００２８】
従って、水田作業装置Ａは、車体横方向に並ぶ４つの対地作業部としての播種筒２９を備え、４条の直播作業を行なう。すなわち、各播種作業部９は、種子タンク２７に貯留され、鉄コーティング処理されている種子ｔ（図３，６参照）を、種子タンク２７に連結している種子繰出し機構２８によって種子タンク２７から繰出し、各種子繰出し機構２８が繰り出した種子ｔを、図６に示す如く播種筒２９により、圃場の泥土面のうちの接地フロート１２によって整地された箇所に落下させて供給する。
【００２９】
図７は、各種子繰出し機構２８に設けられた繰出しロール３０を示す縦断側面図である。
図７に示すように、繰出しロール３０は、外周面に周方向に分散配置して設けられた繰出し凹部３１と、繰出しロール３０の内部に放射状に配置して設けられた棒状の電磁石体３２とを備えて構成してあり、種子ｔが備える鉄コーティング層に電磁石体３２による吸着力を作用させて、種子ｔの繰り出しを行なう。
【００３０】
すなわち、各電磁石体３２の一端部３２ａは、繰出し凹部３１に臨み、各電磁石体３２の他端部３２ｂは、繰出しロール３０の回転軸芯が通る部位に設けた電極室３３に臨んでいる。電極室３３に、オン電極３４及びオフ電極３５を繰出しロール３０に対して相対回転自在な状態で設けてある。繰出し凹部３１が繰出しロール上方の取出し箇所に位置すると、この繰出し凹部３１に一端部３２ａが臨んでいる電磁石体３２の他端部３２ｂにオン電極３４が作用して電磁石体３２が吸着力を備え、この吸着力によって種子ｔを繰出し凹部３１に保持する。この繰出し凹部３１が繰出しロール下方の排出箇所の手前箇所まで下降移動する間、電磁石体３２の他端部３２ｂに対するオン電極３４の作用が維持されて電磁石体３２が吸着力を維持し、種子ｔが電磁石体３２による吸着力によって繰出し凹部３１に保持される。繰出し凹部３１が排出箇所に到達すると、電磁石体３２の他端部３２ｂにオフ電極３５が作用して電磁石体３２が吸着力を無くし、種子ｔが繰出し凹部３１から落下する。この後、空になった繰出し凹部３１が排出箇所から取出し箇所の手間箇所まで上昇する間、電磁石体３２の他端部３２ｂに対するオフ電極３５の作用が維持され、電磁石体３２は、吸着力を備えないで上昇移動する。
【００３１】
このように、取出し箇所から下降移動する繰出し凹部３１の種子ｔを電磁石体３２の吸着力によって繰出し凹部３１に保持することにより、繰出しロール３０の周面に沿って位置する繰出しガイド３６と繰出しロール３０との隙間を広くしても、種子ｔを繰出し凹部３１に保持しながら下降搬送することが支障なくでき、種子ｔの鉄コーティング層及び繰出しガイド３６を摩滅し難くできる。
【００３２】
図３，５に示すように、４つの施肥作業部１０は、機体フレームＦに連結された施肥フレーム５４に支持される肥料繰出し機構５７と、各肥料繰出し機構５７が備える繰出しケース５７ａの上部に取付けられた肥料タンク５６と、繰出しケース５７ａの吐出筒部から機体後方下方向きに延出する施肥筒５８と、施肥筒５８の延出端部に蛇腹筒６３を介して連通された作溝施肥器５９とを備えて構成してある。左側２つの施肥作業部１０及び右側２つの施肥作業部１０の肥料タンク５６は、内部が連通した状態に一体成形してあり、一つのタンクになっている。
【００３３】
４つの施肥作業部１０は、フィードケース１９ａに伝達されるエンジン１５からの駆動力によって駆動されるように構成してある。
【００３４】
すなわち、図５，６に示すように、フィードケース１９ａに入力された駆動力を、出力軸ケース２４の左側端部から突出する出力軸２３の端部から連動機構６５を介して一本の左側の繰出し駆動軸６７に伝達する。左側の繰出し駆動軸６７は、機体左側の２つの肥料繰出し機構５７，５７が備える繰出しロール６６に連結され、機体左側の２つの肥料繰出し機構５７，５７に共通の繰出し駆動軸になっている、駆動ケース１９に入力された駆動力を、出力軸ケース２４の右側端部から突出する出力軸２３の端部から連動機構６５を介して一本の右側の繰出し駆動軸６７に伝達する。右側の繰出し駆動軸６７は、機体右側の２つの肥料繰出し機構５７，５７が備える繰出しロール６６に連結され、機体右側の２つの肥料繰出し機構５７，５７に共通の繰出し駆動軸になっている。
【００３５】
従って、水田作業装置Ａは、車体横方向に並ぶ４つの作溝施肥器５９を備え、４条の施肥作業を行なう。すなわち、各施肥作業部１０は、肥料タンク５６に貯留された粒状の肥料を、肥料タンク５６に連結している肥料繰出し機構５７によって肥料タンク５６から繰出し、各肥料繰出し機構５７が繰り出した肥料を施肥筒５８を介して作溝施肥器５９に供給し、作溝施肥器５９により、播種作業部９による作業対象箇所の横側近くで圃場の泥土面に溝を形成し、形成した溝に施肥筒５８からの肥料を供給する。肥料を供給した後の溝を、作溝施肥器５９の後方に位置する溝埋め体６０（図３，５参照）によって埋め戻す。
【００３６】
図８は、接地フロート１２を示す平面図である。図９は、接地フロート１２を示す側面図である。図４，６，８，９に示すように、接地フロート１２は、平面視形状が車体横方向に長い略長方形となるように形成し、かつ４つの播種筒２９による播種箇所Ｚ（図６参照）よりも車体前方側に位置するフロート本体部１２ａと、フロート本体部１２ａの車体横方向中央部位から車体前方向きに延出した前延出部１２ｂと、フロート本体部１２ａから車体後方向きに延出した左右一対の後延出部１２ｃ，１２ｃとを備えている。前延出部１２ｂは、左右の後車輪２の間まで延出している。左の後延出部１２ｃは、フロート本体部１２ａのうちの前延出部１２ｂよりも左横側に位置する部位から左側２つの作溝施肥器５９による施肥箇所の間に位置している。左の後延出部１２ｃは、左側２つの播種筒２９による播種箇所Ｚの間に向かって延出している。右の後延出部１２ｃは、フロート本体部１２ａのうちの前延出部１２ｂよりも右横側に位置する部位から右側２つの作溝施肥器５９による施肥箇所の間に位置している。右の後延出部１２ｃは、右側２つの播種筒２９による播種箇所Ｚの間に向かって延出している。フロート本体部１２ａ、前延出部１２ｂ及び左右の後延出部１２ｃは、樹脂材の成型によって一体成形してある。
【００３７】
フロート本体部１２ａの底面１２ｔのうちの４つの播種筒２９それぞれによる播種箇所Ｚの前方に位置する部位に整地作用部１２ｄを設けてある。各整地作用部１２ｄは、対応する播種筒２９による播種箇所Ｚの前方で圃場面を滑走していき、播種箇所Ｚを播種が行なわれるに先立って整地していく。
【００３８】
排水溝の形成について説明する。
図１，２，３に示すように、水田作業機は、水田作業装置Ａの両横側部に振り分けて配備した左右一対のサイド溝切り体７０，７０と、水田作業装置Ａの横方向での中心部に配備した溝切り部７１と、水田作業装置Ａの後方に配備した車体横方向に長い横溝切り体７２とを備え、播種及び施肥作業を行なうと同時に、圃場面に排水溝を形成する溝形成作業を行なうように構成してある。
【００３９】
図３，４，６に示すように、左右一対のサイド溝切り体７０，７０は、接地フロート１２の両横外側に振り分け配置してある。左及び右のサイド溝切り体７０は、機体フレームＦを構成する伝動ケース２６の前端部から延出された支持アーム７４の延出端部に支持されており、自走車に対して水田作業装置Ａと一体に昇降操作される状態で水田作業装置Ａに支持されている。左右のサイド溝切り体７０は、車体前後方向視の形状がＶ字形になるように曲げ加工されたＶ字形板金によって構成してある。
【００４０】
つまり、左及び右のサイド溝切り体７０は、水田作業装置Ａが下降作業位置に下降されることにより、下部が圃場の泥土部に入り込んだ作用状態になり、作用状態で牽引されることにより、接地フロート１２の横外側で圃場面に水田作業機の進行方向に沿った縦向きの排水溝Ｍ１（図１２，１３参照）を形成する。
【００４１】
図６に示すように、左右の支持アーム７４は、伝動ケース２６から機体横外向きに機体横方向に沿って延出した横向き基端側部７４ａと、横向き基端側部７４ａの延出端部から機体後方向きかつ機体下方向きに延出した前後向き先端側部７４ｂとを備えている。左右の支持アーム７４は、横向き基端側部７４ａに設けた支持部７４ｃで線引きマーカ７５（図３参照）を揺動昇降自在に支持し、前後向き先端側部７４ｂでサイド溝切り体７０を支持している。
【００４２】
図８，９に示すように、溝切り部７１は、接地フロート１２の底面１２ｔのうちの車体横方向での接地フロート中心１２ＣＬを含む部位に突設してある。具体的には、溝切り部７１は、平面視において溝切り部７１の車体横方向での中心が接地フロート中心１２ＣＬ（フロート本体部１２ａの車体横方向での中心）に対して合致するか又はほぼ合致するように配置した状態でフロート本体部１２ａの底面１２ｔに突設してある。接地フロート１２は、前記部位だけに溝切り部７１を備え、その他の部位には溝切り部を備えていない。溝切り部７１は、フロート本体部１２ａの底面１２ｔに樹脂材の成型によって一体成形してある。
【００４３】
つまり、溝切り部７１は、水田作業装置Ａが下降作業位置に下降されることによって、圃場の泥土部に入り込んだ作用状態になる。溝切り部７１は、作用状態で牽引されることにより、４条の施肥条のうちの内側の２条の施肥条の間であり、かつ４条の播種条のうちの内側の２条の播種条の間で圃場面に水田作業機の進行方向に沿った縦向きの排水溝Ｍ２（図１２，１３参照）を形成する。溝切り部７１は、圃場面がフロート本体部１２ａの底面１２ｔによって押さえられている状況の下で排水溝Ｍ２を形成する。
【００４４】
図３，４，１０に示すように、横溝切り体７２は、接地フロート１２の横幅にほぼ等しい車体横方向長さを備えた横長のバー形状に形成してある。横溝切り体７２の両端部に周部が連結した左右一対のロータ本体７６ａ，７６ａと、左右のロータ本体７６ａを一体回転自在に支持する回転支軸７６ｂとを備えて、回転支軸７６ｂの軸芯を回転軸芯Ｙとして横溝切り体７２と一体回転する状態で横溝切り体７２を支持する支持ロータ７６を構成してある。支持ロータ７６の回転支軸７６ｂを、播種フレーム４７の両横側部から後方向きかつ下方向きに延出した駆動ケース７７及び支持アーム７８の延出端部に回転駆動自在に架設してある。
【００４５】
従って、横溝切り体７２は、支持ロータ７６、駆動ケース７７及び支持アーム７８を介して水田作業装置Ａの播種フレーム４７に車体横向きの回転軸芯Ｙまわりに回転駆動自在に支持され、水田作業装置Ａが下降作業位置に在る状態で支持ロータ７６が回転駆動されることにより、下降作用位置と上昇非作用位置とに昇降する。
【００４６】
前記駆動ケース７７を備える他、種子繰出し機構２８と駆動ケース７７とにわたって設けた入力ケース７９を備えて、横溝切り駆動機構８０を構成してある。入力ケース７９は、内部に設けたチェーン伝動機構（図示せず）により、播種ロール駆動軸４３の駆動力を駆動ケース７７の入力軸（図示せず）に伝達する。駆動ケース７７は、内部に設けたチェーン伝動機構（図示せず）により、入力軸の駆動力を支持ロータ７６の回転支軸７６ｂに伝達する。
【００４７】
従って、横溝切り駆動機構８０は、播種ロール駆動軸４３の駆動力を回転支軸７６ｂに伝達して支持ロータ７６を回転方向Ｂ（図３，１１参照）に回転駆動することにより、横溝切り体７２を播種作業部９の播種作業に連動させて下降作業位置と上昇非作業位置とに昇降駆動する。左右のロータ本体７６ａは、サイド溝切り体７０によって形成された排水溝Ｍ１のうち、排水溝Ｍ１の底よりも浅い箇所を移動して行くように配備してある。
【００４８】
図１１（ａ）は、下降作用位置に位置した状態の横溝切り体７２を示す側面図である。図１１（ｂ）は、上昇非作用位置に位置した状態の横溝切り体７２を示す側面図である。図１１（ａ）に示すように、支持ロータ７６は、水田作業装置Ａが下降作業位置に在る状態において、ロータ本体７６ａの下部が圃場の泥土部に入り込み、ロータ本体７６ａの上部が圃場面よりも上方に位置する状態で回転駆動される。
【００４９】
図１１（ａ）に示すように、横溝切り体７２は、支持ロータ７６の回転によってロータ本体７６ａの下部箇所に位置することにより、下降作用位置になる。下降作用位置になった横溝切り体７２は、圃場の泥土部のうち、車体進行方向での播種列における隣り合う一対の播種箇所Ｚ，Ｚの間の部位に入り込み、この部位を支持ロータ６２の回転によって円弧軌跡に沿って上下方向に通過する。従って、下降作用位置に位置した横溝切り体７２は、圃場の泥土部のうち、車体進行方向での播種列における隣り合う一対の播種箇所Ｚ，Ｚの間の部位に、図１２，１３に示す如き車体横方向の排水溝Ｍ３（以下、横排水溝Ｍ３と称する。）を形成する。支持ロータ７６の大きさ及び駆動速度としては、車体進行方向に隣り合う２本の横排水溝Ｍ３の間に２つの播種箇所Ｚが位置する状態となるように設定した大きさ及び駆動速度を設定してある。
【００５０】
図１１（ｂ）に示すように、横溝切り体７２は、支持ロータ７６の回転によってロータ本体７６ａの上部に位置することにより、上昇非作用位置になり、圃場の泥土部から上方に抜け出て圃場面よりも上方に位置する。
【００５１】
［第１の別実施例］
図１４は、第１の別実施構造を備えた水田作業装置Ａを示す側面図である。図１５は、第１の別実施構造を備えた水田作業装置Ａの作業部を示す平面図である。第１の別実施構造を備えた水田作業装置Ａは、車体横方向に並ぶ６つの播種作業部９を備え、車体横方向に並ぶ６つの対地作業部としての６つの播種筒２９によって６条の直播作業を行なう。第１の別実施構造を備えた水田作業装置Ａは、６条の播種箇所Ｚに対する整地作用部１２ｄを有した一つの接地フロート１２と、接地フロート１２の底面１２ｔのうちの車体横方向での接地フロート中心１２ＣＬを含む部位だけに突設した一つの溝切り部７１とを備える他、接地フロート１２の両横外側に配備した左右一対のサイド溝切り体７０，７０と、自走車の左右の後車輪２の通過跡に接地フロート１２よりも前側で排水溝を形成する車輪跡溝切り体８２とを備えている。
【００５２】
左右それぞれのサイド溝切り体７０及び車輪跡溝切り体８２は、前端部に配置した車体横向きの昇降軸芯Ｐまわりに下降作業位置と上昇非作業位置とに揺動昇降するように枢支され、サイド溝切り体７０及び車輪跡溝切り体８２の後端側に作用するスプリング８３，８４によって下降作業位置に下降付勢されている。
【００５３】
従って、第１の別実施構造を備えた水田作業装置Ａは、サイド溝切り体７０により、圃場のうちの播種作業済みの箇所よりも外周側にする部位に畦に沿った状態で排水溝を形成することができる。サイド溝切り体７０及び車輪跡溝切り体８２の昇降軸芯Ｐは、同一の軸芯になっている。
【００５４】
サイド溝切り体７０及び車輪跡溝切り体８２のための調節レバー８５をレバーガイド８６のガイド溝に沿わせて揺動調節し、所定の調節位置に位置した調節レバー８５をレバーガイド８６に設けてある係止凹部に入り込ませて、調節レバー８５を調節位置にスプリング８３，８４に抗して固定することにより、サイド溝切り体７０及び車輪跡溝切り体８２の下降作業位置の高さ調節をできる。すなわち、調節レバー８５を揺動調節し、調節した位置に固定することにより、サイド溝切り体７０及び車輪跡溝切り体８２の下降作業位置をスプリング８３，８４に抗して設定するストッパーの取り付け位置を変更できる。
【００５５】
第１の別実施構造を備えた水田作業装置Ａは、車体横方向に並ぶ６つの作溝施肥器５９を備え、６条の施肥作業を行なう。各作溝施肥器５９には、自走車に設けた肥料繰出し機構（図示せず）及び肥料タンク（図示せず）から施肥ホース８７を介して肥料供給される。
【００５６】
［第２の別実施例］
図１６は、第２の別実施構造を備えた水田作業装置Ａを示す後面図である。
第２の別実施構造を備えた水田作業装置Ａは、車体横方向に並ぶ４つの対地作業部としての苗植付機構９０を備え、４条植えの苗植え作業を行なように構成してある。この水田作業装置Ａは、４つの苗植箇所Nに対する整地作用部１２ｄを有した一つの接地フロート１２と、接地フロート１２の底面１２ｔのうちの車体横方向での接地フロート中心１２ＣＬを含む部位だけに突設した一つの溝切り部７１と、４条の植付苗の横側近くに肥料供給する施肥作業部１０とを備えている。
【００５７】
図１６は、施肥作業部１０を構成する４本の施肥筒５８に作溝施肥器５９を接続した状態の水田作業装置Ａを示す後面図である。図１７は、施肥作業部１０を構成する４本の施肥筒５８に作溝施肥器５９に替えて脱着自在な播種筒９１を接続した状態の水田作業装置Ａの作業部を示す後面図である。
【００５８】
図１６に示すように、苗植作業及び施肥作業を行なう場合、４本の施肥筒５８それぞれの端部に作溝施肥器５９を接続し、各苗植付機構９０の横側方において、作溝施肥器５９が圃場面に施肥溝を形成し、形成した施肥溝に、肥料繰出し機構５７によってタンク５６から繰り出された肥料を供給するように構成する。
【００５９】
図１７に示すように、４本の施肥筒５８それぞれに作溝施肥器５９に替えて播種筒９１を接続することにより、施肥作業部１０を播種作業部として使用して直播作業を行なうことができるように構成してある。
【００６０】
すなわち、図１７、１８に示すように、播種筒９１は、苗植付機構９０による苗植箇所Nに向けて開口する播種口９１ａを備えている。播種筒９１の下端部に防風体９２を装着してある。防風体９２は、前壁板部９２ａ及び左右の横壁板部９２ｂを備え、播種口９１ａから出た種子に対する前方や左右からの風当たりを抑制して種子が風で飛び散ることを防止する。防風体９２は、播種筒９１とは別部材に作製して播種筒９１に装着してある。防風体９２の前壁板部９２ａ及び左右の横壁板部９２ｂは、樹脂材の成型によって一体成形してある。
【００６１】
施肥作業部１０を構成する肥料タンク５６に種子を貯留して、苗植付機構９０を停止させて自走車を走行させる。すると、肥料繰出し機構５７が肥料タンク５６から種子を繰り出し、繰り出した種子を施肥筒５８に供給する。播種筒９１が施肥筒５８からの種子を播種口９１ａから排出し、苗植付機構９０が駆動されておれば苗植付けすることになる圃場面箇所（苗植箇所Nに相当）落下させる。
【００６２】
施肥作業部１０によって施肥作業を行なう場合、図１９（ａ）に示す如き繰出しロール６６を肥料繰出し機構５７の繰出しケース５７ａに装着し、施肥作業部１０を播種作業部として使用する場合、図１９（ｂ）に示す如き繰出しロール９３を繰出しケース５７ａに装着するように構成してある。
【００６３】
図１９（ａ）に示すように、施肥作業を行なう場合に装着する繰出しロール６６は、外周面に繰出し凹部６６ａが周方向に並べて設けられた繰出し凹部付きの分割繰出しロール６６ｂの３個を繰出しロール６６の回転軸芯方向に一列に並べて連結して構成された３分割型になっている。各分割繰出しロール６６ｂの周方向に並ぶ複数の繰出し凹部６６ａの１つが一列に並んで繰出しロール全体としての一つの繰出し凹部を形成している。
【００６４】
図１９（ｂ）に示すように、施肥作業部１０を播種作業部として使用する場合に装着する繰出しロール９３は、外周面に繰出し凹部６６ａが周方向に並べて設けられた繰出し凹部付きの分割繰出しロール６６ｂの１個と、外周面に繰出し凹部が設けられていない繰出し凹部なしの分割繰出しロール９３ａの２個とを、繰出しロール９３の回転軸芯方向に一列に並べて連結して構成された３分割型になっている。２個の繰出し凹部なしの分割繰り出しロール９３ａは、繰出し凹部付きの分割繰出しロール６６ｂの両横側に振り分けて連結されている。繰出し凹部付きの分割繰出しロール６６ｂの繰出し凹部６６ａが繰出しロール全体として繰出し凹部を形成している。
【００６５】
図２０（ａ）及び図２０（ｂ）は、別の実施構造を備えた繰出しロール１００，１０１を示す平面図である。
図２０（ａ）に示す繰出しロール１００は、施肥作業を行なう場合に肥料繰出し機構５７の繰出しケース５７ａに装着する繰出しロールであり、外周面に繰出し凹部１００ａが周方向に並べて設けられ、各繰出し凹部１００ａが繰出しロール１００の回転軸芯方向での一端から他端にわたって設けられた単一の繰り出し凹部付き繰出しロールによって構成してある。
【００６６】
図２０（ｂ）に示す繰出しロール１０１は、施肥作業部１０を播種作業部として使用する場合に装着する繰出しロール１０１であり、外周面に繰出し凹部１００ａが周方向に並べて設けられた繰出し凹部付き繰出しロール１００の１個と、繰出し凹部付き繰出しロール１００の回転軸芯方向での両端部に外嵌された脱着自在な一対の環状体１０２，１０２とを備えて構成してある。各環状体１０２は、繰出し凹部付き繰出しロール１００の繰出し凹部１００ａの端部に入り込んで繰出し凹部１００ａの端部を埋める突部１０２ａを内周側に備えている。繰出し凹部付き繰出しロール１００は、施肥作業を行なう場合にも、施肥作業部１０を播種作業部として使用する場合にも使用するのであるが、施肥作業部１０を播種作業部として使用する場合における繰出し凹部付き繰出しロール１００の各繰出し凹部１００ａの容積を、環状体１０２により、種子繰り出しに適切な小容積に減少調節している。
【００６７】
［別実施例］
（１）上記した実施例では、接地フロート１２の底面１２ｔに突設した溝切り部７１を樹脂材によって接地フロート１２に一体成形した例を示したが、溝切り部７１を金属板の加工や鋳造によって接地フロート１２とは別に作製して接地フロート１２の底面１２ｔに取り付けて実施してもよい。
【００６８】
（２）上記した実施例では、横溝切り体７２の横幅を接地フロート１２の横幅より少し広い状態で接地フロート１２の横幅にほぼ等しくした例を示したが、接地フロート１２の横幅より少し狭い状態で接地フロート１２の横幅にほぼ等しくしたり、接地フロート１２の横幅と等しくしたりして実施してもよい。
【産業上の利用可能性】
【００６９】
本発明は、播種作業部９及び施肥作業部１０を備える水田作業機、あるいは苗植作業部及び施肥作業部を備える水田作業機の他、播種作業部のみを備える水田作業機、あるいは苗植作業部のみを備える水田作業機にも利用可能である。
【符号の説明】
【００７０】
２        後車輪
１２      接地フロート
１２ＣＬ  接地フロート中心
１２ｄ    整地作用部
１２ｔ    底面
２９      対地作業部（播種筒）
７０      サイド溝切り体
７１      溝切り部
７２      横溝切り体
８０      横溝切り駆動機構
８２      車輪跡溝切り体
９０      対地作業部（苗植付機構）
Ａ        水田作業装置
Ｍ２      排水溝
Ｍ３      排水溝
Ｎ，Ｚ    作業箇所
【図１】
2014097040.tif 000003
【図２】
2014097040.tif 000004
【図３】
2014097040.tif 000005
【図４】
2014097040.tif 000006
【図５】
2014097040.tif 000007
【図６】
2014097040.tif 000008
【図７】
2014097040.tif 000009
【図８】
2014097040.tif 000010
【図９】
2014097040.tif 000011
【図１０】
2014097040.tif 000012
【図１１】
2014097040.tif 000013
【図１２】
2014097040.tif 000014
【図１３】
2014097040.tif 000015
【図１４】
2014097040.tif 000016
【図１５】
2014097040.tif 000017
【図１６】
2014097040.tif 000018
【図１７】
2014097040.tif 000019
【図１８】
2014097040.tif 000020
【図１９】
2014097040.tif 000021
【図２０】
2014097040.tif 000022